(57)【要約】【課題】エレベータのかごその他、地震、停電事故により密室状態に閉じ込められる可能性のある場所に邪魔になることなしに備え付け、必要な機器、備品を迅速に提供する。【解決手段】エレベータのかごなど、設置先の壁面又は天面の内面に据え付けて、非常時に、ケース２の操作部２４を自動開封し、ケース２外部に自動的に降下された操作紐２６の引き操作により、物品収容部２１の開閉部２３を自動的にロック解除し、開放して、物品収容部２１から非常時に使用する機器、備品を収納するシートＳ１を（シート引張り紐４３により）直接降下して、展開する。【選択図】図２
2008006051.tif 000002
【特許請求の範囲】
【請求項１】
開閉部及び当該開閉部をロックするロック手段を有する物品収容部と、開閉部及び当該開閉部を封止する封止手段を有し、前記物品収容部のロック手段を解除して、当該開閉部を開動する操作手段を配設された操作部とを具備するケースと、
前記物品収容部に配設された巻取装置と、
前記巻取装置に巻き付けられ、物品を収納する収納部を有するシートとを備え、
設置先の壁面又は天面に据え付けられ、前記シートの収納部に非常時に使用する任意の機器、備品が収納されることを特徴とする非常時支援装置。
【請求項２】
巻取装置はシートを巻き取る軸を有し、当該軸はばね手段によりシートの巻き取り方向に作用され、物品収容部に巻き取り収容されたシートはシートに付設された引張り紐により手動で引き出される請求項１に記載の非常時支援装置。
【請求項３】
開閉部及び当該開閉部をロックするロック手段を有する物品収容部と、開閉部及び当該開閉部を封止する封止手段を有し、前記物品収容部のロック手段を解除して、当該開閉部を開動する操作手段を配設された操作部とを具備するケースと、
前記物品収容部に配設され、線材又は紐材を巻き上げる巻上装置と、
前記物品収容部に前記巻上装置の線材若しくは紐材により引き上げられて折り畳まれ、物品を収納する収納部を有するシートとを備え、
設置先の壁面又は天面に据え付けられ、前記シートの収納部に非常時に使用する任意の機器、備品が収納されることを特徴とする非常時支援装置。
【請求項４】
巻上装置は物品収容部に収容された手動式のチェーン若しくはベルトにより回転駆動され、物品収容部に折り畳み収容されたシートはチェーン若しくはベルトにより手動で引き出される請求項３に記載の非常時支援装置。
【請求項５】
物品収容部及び操作部の各開閉部は下方に向けて開放される請求項１乃至４のいずれかに記載の非常時支援装置。
【請求項６】
操作部の封止手段は施錠手段で、開閉部を通常施錠し、本装置設置先の停電により、又は地震波センサの動作により開閉部を解錠する手段を有する請求項１乃至５のいずれかに記載の非常時支援装置。
【請求項７】
操作部の操作手段は手動形式で、操作部から延びる紐状の部材により形成され、通常、操作部内部に収納されて、操作部の開封により当該操作手段が操作部から下方へ降下される請求項１乃至６のいずれかに記載の非常時支援装置。
【請求項８】
シートの縁部に、ケースから垂下され、展開されたシートを固定するための止め具を有する請求項１乃至７のいずれかに記載の非常時支援装置。
【発明の詳細な説明】
【技術分野】
【０００１】
本発明は、震災時など災害非常時に使用する非常時支援装置に関する。
【背景技術】
【０００２】
従来から震災などの非常時に備えて、非常用の機器、備品を収納する収納ボックスが提案されている。この種の収納ボックスの一例が特許文献１に記載されている。この文献１の収納ボックスは、ハンドルを兼ねるスティ及び車輪を有する収納ボックス本体と、この収納ボックス本体を開閉する蓋とで構成され、収納ボックス本体の内底面と蓋の天井面に緩衝材が設けられて、収納ボックス本体と蓋体が複数の緊締バンドで緊締されるようになっている。このようにして収納ボックスに各種物品を自由、容易に入れることができ、確実かつ安定した状態に収納することができる。
【特許文献１】特開平１１−１５２０３６号公報
【発明の開示】
【発明が解決しようとする課題】
【０００３】
ところで、地震が発生すると、エレベータが停止され、かごが最寄の階に至らずに階床間で止まり、かごの中に乗員が閉じ込められるといったことが少なくない。大規模な地震になると、このかごからの救出活動には、救助の要請から数日以上が必要と言われており、このような場合、かごの中で乗員は食事、排便など、生命維持に必要な行為を取ることができず、憔悴しながら救助を待つ他ない。大規模な停電事故により、エレベータが停止した場合も同様のことが起こり得る。このような危険性の認識は国民一般に広く知られているにもかかわらず、エレベータのかごにはそれに対処した付帯設備がない。また、上記従来の非常用の機器、備品を収納する収納ボックスでは、エレベータのかごの中には邪魔になって常設できないことは勿論のこと、収納ボックス本体内に積み重ねた状態に収納された各種の物品から必要な機器、備品のみを素早く探し当て、取り出すことは難しい。
【０００４】
本発明は、このような従来の問題を解決するもので、エレベータのかごその他、地震、停電事故により密室状態に閉じ込められる可能性のある場所に邪魔になることなしに備え付け、非常時に、必要な機器、備品を素早く探し当て、取り出すことのできる非常時支援装置を提供することを目的とする。
【課題を解決するための手段】
【０００５】
上記目的を達成するために、本発明の非常時支援装置は、開閉部及び当該開閉部をロックするロック手段を有する物品収容部と、開閉部及び当該開閉部を封止する封止手段を有し、前記物品収容部のロック手段を解除して、当該開閉部を開動する操作手段を配設された操作部とを具備するケースと、前記物品収容部に配設された巻取装置と、前記巻取装置に巻き付けられ、物品を収納する収納部を有するシートとを備え、設置先の壁面又は天面に据え付けられ、前記シートの収納部に非常時に使用する任意の機器、備品が収納されることを要旨とする。この場合、巻取装置はシートを巻き取る軸を有し、当該軸はばね手段によりシートの巻き取り方向に作用され、物品収容部に巻き取り収容されたシートはシートに付設された引張り紐により手動で引き出されることが好ましい。物品収容部及び操作部の各開閉部は下方に向けて開放されることが好ましい。操作部の封止手段は施錠手段で、開閉部を通常施錠し、本装置設置先の停電により、又は地震波センサの動作により開閉部を解錠する手段を有することが好ましい。操作部の操作手段は手動形式で、操作部から延びる紐状の部材により形成され、通常、操作部内部に収納されて、操作部の開封により当該操作手段が操作部から下方へ降下されることが好ましい。シートの縁部に、ケースから垂下され、展開されたシートを固定するための止め具を有することが好ましい。
【０００６】
また、本発明の非常時支援装置は、開閉部及び当該開閉部をロックするロック手段を有する物品収容部と、開閉部及び当該開閉部を封止する封止手段を有し、前記物品収容部のロック手段を解除して、当該開閉部を開動する操作手段を配設された操作部とを具備するケースと、前記物品収容部に配設され、線材又は紐材を巻き上げる巻上装置と、前記物品収容部に前記巻上装置の線材若しくは紐材により引き上げられて折り畳まれ、物品を収納する収納部を有するシートとを備え、設置先の壁面又は天面に据え付けられ、前記シートの収納部に非常時に使用する任意の機器、備品が収納されることを要旨とする。この場合、巻上装置は物品収容部に収容された手動式のチェーン若しくはベルトにより回転駆動され、物品収容部に折り畳み収容されたシートはチェーン若しくはベルトにより手動で引き出されることが好ましい。物品収容部及び操作部の各開閉部は下方に向けて開放されることが好ましい。操作部の封止手段は施錠手段で、開閉部を通常施錠し、本装置設置先の停電により、又は地震波センサの動作により開閉部を解錠する手段を有することが好ましい。操作部の操作手段は手動形式で、操作部から延びる紐状の部材により形成され、通常、操作部内部に収納されて、操作部の開封により当該操作手段が操作部から下方へ降下されることが好ましい。シートの縁部に、ケースから垂下され、展開されたシートを固定するための止め具を有することが好ましい。
【発明の効果】
【０００７】
本発明の非常時支援装置は、上記各構成により、設置先の壁面又は天面に据え付けて、非常時に、ケースの操作部を開封し、操作手段により物品収容部を開放して、物品収容部から非常時に使用する機器、備品を収納するシートを展開するので、エレベータのかごその他、地震、停電事故により密室状態に閉じ込められる可能性のある場所に邪魔になることなしに備え付け、非常時に、被災者がその取り扱い方法、収容されている物品の品目が分からなくても、必要な機器、備品を素早く探し当て、取り出すことができるという格別な効果を奏する。
【発明を実施するための最良の形態】
【０００８】
以下、この発明の実施の形態について図を用いて説明する。図１乃至図３に第１の実施の形態を示している。図１は非常時支援装置の使用前の態様を示し、図２はその使用時の態様を示す。また、図３は使用前の非常時支援装置を下方から見た状態を示す。
【０００９】
図１及び図２に示すように、非常時支援装置１１は、ケース２と、巻取装置Ｄ１と、シートＳ１とを備える。
【００１０】
ケース２は全体が横長の箱形に形成され、正面２０１、背面２０２、天面２０３、底面２０４、両側面２０５、２０５の６面を有する。なお、このケース２の場合、正面２０１の下側略半面は下方斜めに向けた傾斜面になっている。ケース２の内部は両側面２０５、２０５間所定の位置に仕切り部材２０６が設けられて、大きい空間２１と小さい空間２４の２つに区画される。
【００１１】
大きい空間２１は物品収容部で、この物品収納部２１に対応する底面２０４が開閉部２３になっている。この場合、開閉部２３は後縁部が背面２０２下縁部にヒンジ部材を介して結合され、前後方向に回動可能に構成される。このようにして開閉部２３は下方に向けて開放可能になっている。また、開閉部２３の回動側縁部（前縁部）に、この開閉部２３の閉状態をロックするロック手段が設けられる。なお、このロック手段には、後述するように紐状の部材の引き操作で、ロックを解除可能な簡易なロック形式が採用される。このようにして物品収容部２１の開閉部２３は通常閉じられて、この状態がロックされる。
【００１２】
小さい空間２４は操作部で、この操作部２４に、物品収容部２１の開閉部２３のロック手段を解除して、開閉部２３を開動する操作手段２６が配設される。この場合、操作手段２６は、手動形式で、操作部２４から延びる紐状の部材により形成され、この操作紐２６が物品収容部２１の開閉部２３のロック手段に作動連結されて、この操作紐２６の引き操作により開閉部２３のロックが解除され、開閉部２３が開放されるようになっている。このように操作紐２６を使うことで、故障の少ない操作手段とすることができる。なお、この操作紐２６の端末にグリップ及び適度のウェイトとして使用するボール２７が取り付けられる。また、この操作紐２６又はボール２７に「非常時に、この紐を引いてください。」といった表示を付けておくことが望ましい。この操作紐２６はボール２７とともに通常、操作部２４内に収納される。この操作部２４に対応する正面２０１の傾斜面は開閉部２８になっている。この場合、開閉部２８は上縁部が正面２０１にヒンジ部材を介して結合され、前後方向に回動可能に形成される。このようにして開閉部２８は下方に向けて開放可能になっている。なお、この開閉部２８は一方の側縁部が正面２０１又は側面２０５にヒンジ部材を介して結合され、左右方向に回動可能に形成されてもよい。この開閉部２８には、封止手段が併せて設けられる。ここで封止手段は施錠手段で構成され、開閉部２８を通常施錠し、本装置（非常時支援装置）１設置先の停電により、開閉部２８を解錠する手段、又は地震波センサの動作により、開閉部２８を解錠する手段が採用される。前者の場合、施錠手段は本装置１１設置先の電源を使用する電磁式のロック装置などで、通常の通電により開閉部２８をロックし、非常時の停電により開閉部２８のロックを解除する形式に構成される。後者の場合、施錠手段は本装置１１のケース２内部に設置した充電式バッテリを使用する地震波センサ併用のロック装置などで、地震波センサにＰ波センサなどが採用され、通常開閉部２８をロックし、地震波センサで所定震度以上の地震を検出することにより、開閉部２８のロックを解除する形式に構成される。なお、いずれの形式でも、非常時の停電により、又は地震波センサの動作により、即時にロック装置が解除されるようにしてもよく、タイマーを併用して一定時間経過後にロック装置が解除されるようにしてもよい。
【００１３】
また、この非常時支援装置１１がエレベータ用として使用される場合、図１、図２に示すように、ケース２の正面２０１の傾斜面にミラー６が設けられることが好ましい。また、図３に示すように、ケース２の底面外側面に非常灯７が配設されることが好ましい。
【００１４】
このようにしてケース２が構成され、物品収納部２１に巻取装置Ｄ１が配設され、この巻取装置Ｄ１にシートＳ１が巻き付けられて物品収納部２１に収容される。巻取装置Ｄ１は１本の円筒状の軸３１からなり、物品収納部２１の両側、すなわち一方の側面２０５の内面とこれに対向する仕切り部材２０６の一方の面にそれぞれ、一対の軸受３２が取り付けられて、これらの軸受３２、３２間に回転可能に架け渡される。なお、この軸３１はばね部材が取り付けられて、シートＳ１の巻取方向に作用するようにしてある。
【００１５】
シートＳ１は横方向が物品収容部２１の幅よりも少し短く、縦方向に所定の長さ（例えばエレベータのかごの壁面縦方向と概ね同じ長さ）の略矩形状に形成され、下端末にウェイトバー４１とシートＳ１を引き出すためのシート引張り紐４３が取り付けられる。このシートＳ１の表面又は裏面又は表裏両面には選択的に複数の物品の収納部４２が筒状又は袋状に形成される。なお、この収納部４２の大きさ、形状は収納する対象物品の大きさ、形状に応じて適宜設定してもよく、また一定に統一してもよい。また、このシートＳ１をケース２から斜め下方に向けて又は垂直方向に向けて張り、この状態を固定するために、このシートＳ１の下縁部に止め具４４が設けられる。この止め具４４には、吸盤、マグネット、面ファスナ、剥離紙付きの接着テープ、止めピン、クリップ、フックなど既存の止め具から適宜選定される。この場合、吸盤４４が使用される。さらに、このシートＳ１の両側又は片側に、設置先で閉鎖空間を形成するための付属シートが延設されてもよい。付属シートにも縁部に止め具が設けられることが好ましい。この付属シートはシートＳ１上に折り畳んでおき、必要に応じて展開すればよい。このようにしてシートＳ１は上端が巻取装置Ｄ１の軸３１に固定されて軸３１回りに巻き付けられ、物品収容部２１に巻き取り収容される。
【００１６】
このようにして非常時支援装置１１は、設置先の壁面又は天面に据え付けられ、シートＳ１の収納部４２に非常時に使用する任意の機器、備品が収納される。
【００１７】
次に、非常時支援装置１１がエレベータ用として採用された場合の使用例について、さらに図４を用いて説明する。図４に示すように、この非常時支援装置１１はエレベータ５のかご５０の壁面５１の内面上部又は天面５２の内面に据え付けられる。この場合、背面側壁面５１の内面と天面５２の内面との２面接合部付近に取り付けられることが好ましい。なお、操作部２４の封止手段に電磁式のロック装置が採用された場合、このロック装置はエレベータ５のかご５０に供給される電源により通電される。この非常時支援装置１１の使用に際して、シートＳ１の各収納部４２には、非常時に使用する任意の機器、備品が収納される。この場合の対象品目は、水、食料品（保存食）、無線機（防災用無線機）、ラジオ、懐中電灯、ランタン、警報サイレン、防寒シート（又は防寒着）、簡易式トイレ、応急処置用の薬品や器具などで、水、食料品、簡易トイレは数日間分必要で、ラジオや懐中電灯などは手回し充電形式のものが望ましい。これら機器、備品をシートＳ１の収納部４２に収納する場合、無線機、薬、簡易式トイレなど緊急性の高いものはシートＳ１下部の収納部４２に入れ、反対に水、食料品など緊急性の低いもの、あるいは衛生上の配慮を要するものはシートＳ１上部の収納部４２に入れておくことが好ましい。このようにすることで、非常時に必要なものがより見つけやすく、より取り出しやすくなる。
【００１８】
また、ケース２正面のミラー６は車椅子利用者用に設けられている。この場合、かご５０の背面側壁面５１の内面に、車椅子利用者用にかご５０の出入口上部又は側部のエレベータ５の階床表示を確認するためのミラーＭが設けられている場合は、ケース２のミラー６は下方斜めに向けて適宜の角度に固定されることで、車椅子利用者がケース２のミラー６を使って、かご５０の出入口の敷居当たりを確認することができ、車椅子利用者がかごの乗り降りを安心して、容易に行うことができる。また、かご５０にミラーＭが設けられていない場合は、ケース２のミラー６が略正面に向けて固定されることで、車椅子利用者がエレベータ５の階床表示を確認するために使用することもできる。
【００１９】
さて、このエレベータ５のかご５０に複数人の乗員が乗って昇降中に地震が発生し、かご５０が階床間の途中で停止された場合、複数人の乗員はかご５０の中に完全に閉じ込められる。このかご５０に備え付けられた非常時支援装置１１は、エレベータ５の電源が断たれると、即時又はタイマーで一定時間経過後に操作部２４の電磁式のロック装置が解除され、又は地震波センサの動作によりロック装置が解除され、開閉部２８が開放（開封）されて、（図４中、２点鎖線で示すように）操作紐２６がボール２７とともに操作部２４から降下し、垂下される。
【００２０】
この操作紐２６又はボール２７の表示「非常時に、この紐を引いてください。」に従って、乗員がこの操作紐２６を引くと、この引き操作により、物品収容部２１の開閉部２３が下方に向けて開動され、物品収容部２１が下方に向けて開放される。このとき、物品収容部２１からシート引張り紐４３が垂れ下がる。そして、乗員がシート引張り紐４３を（巻取装置Ｄ１のばねの力に抗して）引き下げると、物品収容部２１内部の巻取装置Ｄ１に巻き付けられたシートＳ１は巻取装置Ｄ１の回転とともに引き出され、図２に示すように、ケース２からシートＳ１が垂下される。このとき、シートＳ１をケース２から垂直方向に向けて又はエレベータ５のかご５０の背面側壁面に沿って降ろし、シートＳ１下部の吸盤４４をかご５０のフロアに吸着することで、シートＳ１を（ピンと）張った状態にして固定することができる。このようにしてケース２からシートＳ１が垂下され、垂直方向に展開される。乗員は上下に展開されたシートＳ１の筒状又は袋状の各収納部４２から、非常時に必要な機器、備品を容易に探し当て簡単に取り出すことができ、迅速に使用することができる。例えば、シートＳ１の収納部４２から無線機を素早く取り出し、救助の要請を迅速に行うことができる。無線機の電波がエレベータシャフトの中で遮断されるなど、無線機が使用できない場合は、他の収納部４２から警報サイレンを取り出して、警報サイレンの鳴動で救助を要請することができる。災害の状況や救助に関する情報はラジオで入手できる。水、食料品、簡易トイレは収納部４２に数日間分収納されているので、乗員の救助までに数日間の時間を要する場合でも、乗員は各収納部４２から水、食料品を取り出して、水、食事を取り、また簡易式トイレを取り出して、排便を行うことができるなど、生命維持に必要な行為を容易かつ確実に行うことができる。なお、排便の場合、シートＳ１を隔壁として利用することができる。この場合、シートＳ１をケース２から斜め下方に向けて張り、シートＳ１の下部を吸盤４４その他の止め具で床に固定することで、かご５０の中の一部に排便用の遮蔽された空間を形成することができ、さらに、シートＳ１の両側又は片側に付属シートを付けてあれば、付属シートを展開し、その周囲を床、壁面などに吸盤４４その他の止め具で固定することにより、かご５０の中に完全な囲いを形成することができ、排便をより行いやすくすることができる。
【００２１】
以上説明したように、この非常時支援装置１１によれば、エレベータ５のかご５０など、設置先の壁面又は天面の内面に据え付けて、非常時に、ケース２の操作部２４を自動開封し、ケース２外部に自動的に降下された操作紐２６の引き操作により、物品収容部２１の開閉部２３を自動的にロック解除し、開放して、物品収容部２１から非常時に使用する機器、備品を収納するシートＳ１を、シート引張り紐４３の引き操作により降下させ、展開するので、エレベータ５のかご５０その他、地震、停電事故により密室状態に閉じ込められる可能性のある場所に邪魔になることなしに備え付け、非常時に、被災者がその取り扱い方法や収容されている物品の品目が分からなくても、必要な機器、備品を素早く探し当て、取り出し、使用することができる。そして、これらの機器、備品やシートＳ１を活用することで、かご５０の中の乗員は、食事、排便など、生命維持に必要な行為を取りながら、救助を待つことができる。また特に、エレベータのかごの中に閉じ込められた経験を持つ人の多くは精神的な不安が残り、エレベータに対する恐怖心を常に持っていることが伝えられており、この非常時支援装置１１をエレベータのかごに常設することで、エレベータに対する不安を取り除き、安心感を与えることができる。
【００２２】
なお、第１の実施の形態の各部について、次のように変更することができる。
（１）ケース２が箱形に形成されているが、円筒形に形成されてもよく、その形状は任意である。
（２）物品収容部２１の開閉部２３は、ケース２の底面２０４に設けられているが、ケース２の正面２０１に設けられてもよい。また、操作部２４の開閉部２８は、ケース２の正面２０１（の傾斜面）に設けられているが、ケース２の底面２０４に設けられてもよい。
（３）操作部２４の開閉部２８の封止手段に自動式のロック装置が採用されているが、この開閉部２８を接着テープや着脱式の止め具などを使って封止し、手操作で開封できるようにしてもかまわない。
（４）操作部２４の操作手段は紐状の部材で形成されているが、伸縮式のレバーなどに代えてもよい。
（５）巻取装置Ｄ１にシートＳ１の送り出しを任意の位置で停止するシートストッパーが設けられてもよい。この場合、シートストッパーは軸３１にラチェット車と爪からなるラチェット機構などにより構成することができる。また、物品収容部２１内部の巻取装置Ｄ１に巻き付けられたシートＳ１はシート引張り紐４３により引き出されるようにしているが、シートＳ１のウェイトバー４１及び各収納部４２に収納された各種機器、備品などの自重により、シートＳ１を巻取装置Ｄ１の回転とともに自動的に降下させるようにしてもよい。この場合、軸３１と軸受３２との間に摩擦係合手段が介在されて、軸３１を適宜の低速度回転に調整し、シートＳ１の送り出し速度を低速にすることが好ましい。この巻取装置Ｄ１の回転速度が制限されることで、シートＳ１を低速に送り出すことができ、非常時の機器、備品を収納されたシートＳ１を安全に降下させることができる。さらに、この軸３１を任意に回転駆動できるように、軸３１にスプロケット（又はプーリ）が取り付けられ、このスプロケット（又はプーリ）にチェーン（又はベルト）が巻き付けられてもよい。この場合、チェーン（又はベルト）はある程度の長さを有し、通常物品収容部２１内に格納され、開閉部２３の開放により、外部に垂下されるようにすることが好ましい。このようにすることで、シートＳ１の送り出し位置を任意に変更したり、またシートＳ１を物品収容部２１に巻き戻したりすることができる。
【００２３】
図５及び図６に第２の実施の形態を示している。図５及び図６に示すように、この非常時支援装置１３は、ケース２と、線材若しくは紐材の巻上装置Ｄ３と、シートＳ３とを備える。なお、この場合、ケース２は第１の実施の形態と概ね同じ構成を採り、第１の実施の形態で既に述べたとおりなので、ここでは詳しい説明を省略している。
【００２４】
ケース２の物品収容部２１に巻上装置Ｄ３が配設され、この物品収容部２１にシートＳ３が巻上装置Ｄ３により折り畳み可能に収容される。この巻上装置Ｄ３は、物品収容部２１の両側（一方の側面２０５の内面とこれに対向する仕切り部材２０６の一方の面）間に架け渡され、複数のプーリ３４を配設された軸３３と、この軸３３の前側に並設された巻上器３５とを備え、巻上器３５から導出された複数の線材又は紐材３６が軸３３の各プーリ３４に掛け渡される。この場合、軸３３には中央及び両端に合計３つのプーリ３４が配設され、巻上器３５に３本の線材又は紐材３６が巻き付けられて、各プーリ３４に巻き掛けられる。また、この巻上装置Ｄ３の場合、巻上器３５の回転軸に制動機構が付設されており、巻上器３５の回転軸上に駆動スプロケット３７が配設されて、この駆動スプロケット３７上に手動式のチェーン又はベルトが巻き掛けられる。ここでは、チェーン又はベルトとして玉チェーン３８が採用される。なお、ケース２内部の下縁部にガイドスプロケット３９が設置され、（開閉部２３の開時に）このガイドスプロケット３９の案内により、玉チェーン３８が底部２０４の開口から下方に垂下されるようになっている。
【００２５】
シートＳ３は横方向が物品収容部２１の幅よりも少し短く、縦方向に所定の長さ（例えばエレベータのかごの壁面縦方向と概ね同じ長さ）の略矩形状に形成され、第１の実施の形態と同様に、下端末にウェイトバー４１及びシート４の止め具として吸盤４４が設けられる。なお、この場合、シート引張り紐４３は不要である。このシートＳ３の表面又は裏面又は表裏両面には選択的に、横方向に複数列、各列に縦方向（上下方向）に複数の物品の収納部４５が均等な大きさに形成される。なお、この場合、収納部４５はシートＳ３にケースが取り付けられて形成される。シートＳ３の上下段の各収納部４５間及びその上下のシートＳ３面には同じ間隔で折り目４６が設けられ、シートＳ３は下から順に各収納部４５を交互に向きを反転させながら折り畳み可能に構成される。なお、ここでの折り目４６は特別の加工が施されていなくても、当該箇所で曲折されればよい。シートＳ３の横方向中央及び両側縁には、折り目４６と折り目４６との間に穴４８が設けられる。なお、この穴４８の縁部にはハトメが取り付けられる。このようにしてシートＳ３は上（端）部が物品収容部２１内（の天面）に固定され、シートＳ３面の各列（縦方向に一列）の各穴４８に上から順に背面側から正面側へ、続いて正面側から背面側へ、と交互に巻上装置Ｄ３の線材又は紐材３６が通され、各々最下部の穴４８に結合されて、複数の線材又は紐材３６に懸吊される。そして、この非常時支援装置１３の場合、ユーザが手動により、巻上装置Ｄ３の玉チェーン３８を所定の１方向へ手繰ることにより、巻上器３５が回転駆動されて線材又は紐材３６が巻き上げられ、この線材又は紐材３６の巻き上げにより、シートＳ３は引き上げられて、物品収容部２１に折り畳まれて収容される（なお、このシートＳ３の折り畳み状態は巻上装置Ｄ３の制動機構により保持される）。また、玉チェーン３８を反対方向に手繰ることにより、巻上器３５の線材又は紐材３６は送り出され、この線材又は紐材３６は送り出しにより、物品収容部２１内のシートＳ３は徐々に伸張しながら降下される。
【００２６】
このようにして非常時支援装置１３は、設置先の壁面又は天面に据え付けられ、シートＳ３の収納部４５に非常時に使用する任意の機器、備品が収納される。
【００２７】
この非常時支援装置１３がエレベータ用として使用される場合、第１の実施の形態と同様に、エレベータのかごの壁面の内面上部又は天面の内面に据え付けられて（図４参照）、シートＳ３の各収納部４５に、非常時に使用する任意の各種機器、備品が収納される。そして、地震の発生又は停電事故などにより、エレベータが停止され、かごの中に乗員が閉じ込められた場合、既述のとおり、この非常時支援装置１３は、操作部２４のロック装置が自動解除され、開閉部２８が開放（開封）されて、操作紐２６がボール２７とともに操作部２４から降下し、垂下される。乗員がこの操作紐２６を引くことにより、物品収容部２１の開閉部２３が下方に向けて開動され、物品収容部２１が下方に向けて開放される。このとき、物品収容部２１から玉チェーン３８が垂れ下がる。そして、乗員が玉チェーン３８を所定の１方向に手繰ると、物品収容部２１内部の巻上装置Ｄ３が回転駆動され、物品収容部２１内部に折り畳み収容されたシートＳ３が伸張しながら引き出され、ケース２からシートＳ３が垂下される。このとき、シートＳ３をケース２から垂直方向に向けて又はエレベータのかごの背面側壁面に沿って降ろし、シートＳ３下部の吸盤４４をかごのフロアに吸着することで、シートＳ３を（ピンと）張った状態にして固定することができる。このようにしてケース２からシートＳ３が垂下され、垂直方向に展開される。乗員は上下に展開されたシートＳ３の各収納部４５から、非常時に必要な機器、備品を容易に探し当て簡単に取り出すことができ、迅速に使用することができる。使用例は第１の実施の形態で説明したとおりである。
【００２８】
このようにしてもエレベータのかごその他、地震、停電事故により密室状態に閉じ込められる可能性のある場所に邪魔になることなしに備え付け、非常時に、必要な機器、備品を素早く探し当て、取り出し、使用することができ、これらの機器、備品やシートＳ３を活用することで、かごの中の乗員は、食事、排便など、生命維持に必要な行為を取りながら、救助を待つことができる。また、エレベータのかごの中に閉じ込められた経験を持つ多くの人などに、エレベータに対する不安を取り除き、安心感を与えることができるなど、第１の実施の形態と同様の作用効果を奏することができる。
【図面の簡単な説明】
【００２９】
【図１】本発明の第１の実施の形態における非常時支援装置の使用前の態様を示す斜視図
【図２】同非常時支援装置の使用時の態様を示す斜視図
【図３】同非常時支援装置の底面図
【図４】同非常時支援装置のエレベータにおける使用例を示す斜視図
【図５】本発明の第２の実施の形態における非常時支援装置の使用時の態様を示す斜視図
【図６】同非常時支援装置の側面断面図
【符号の説明】
【００３０】
１１、１３  非常時支援装置
２  ケース
２０１  正面
２０２  背面
２０３  天面
２０４  底面
２０５  側面
２０６  仕切り部材
２１  物品収容部（大きい空間）
２３  開閉部
２４  操作部（小さい空間）
２６  操作紐（操作手段）
２７  ボール
２８  開閉部
Ｄ１  巻取装置
Ｄ３  巻上装置
３１  軸
３２  軸受
３３  軸
３４  プーリ
３５  巻上器
３６  線材又は紐材
３７  駆動スプロケット
３８  玉チェーン
３９  ガイドスプロケット
Ｓ１、Ｓ３  シート
４１  ウェイトバー
４２  収納部
４３  シート引張り紐
４４  止め具
４５  収納部
４６  折り目
４８  穴
５  エレベータ
５０  かご
５１  壁面
５２  天面
６  ミラー
７  非常灯
Ｍ  ミラー
【図１】
2008006051.tif 000003
【図２】
2008006051.tif 000004
【図３】
2008006051.tif 000005
【図４】
2008006051.tif 000006
【図５】
2008006051.tif 000007
【図６】
2008006051.tif 000008